(57)【要約】【課題】製作が簡単であるとともに使い勝手のよい手袋（ミテーヌ）を提供する。【解決手段】シート状物を二つ折りし、その折り目を小指側縁部２として手の甲部３と手の平部４とを形成する。小指側縁部２と対向する親指側縁部５からやや距離を置いて、かつ前後方向の中間部に間隔部10を設けてその前後に配置した前方接合部12と後方接合部13とを備える。間隔部10の内部を親指挿入部11とし、前方接合部12及び後方接合部13と小指側縁部2との間の内部を他の指挿入部14とする。【選択図】図１
2008121139.tif 000002
【特許請求の範囲】
【請求項１】
シート状物を二つ折りし、その折り目を小指側縁部として手の甲部と手の平部とを形成してなり、
前記手の甲部と前記手の平部とを接合する接合部として、前記小指側縁部と対向する親指側縁部からやや距離を置いて、かつ前後方向の中間部に間隔部を設けてその前後に配置した前方接合部と後方接合部とを備え、
前記間隔部の内部を親指挿入部とし、前記前方接合部及び前記後方接合部と前記小指側縁部との間の内部を他の指挿入部とした、ミテーヌ。
【請求項２】
前記前方接合部と前記後方接合部とが、前後方向にほぼ対称に配置されている請求項1に記載のミテーヌ。
【請求項３】
前記前方接合部と前記後方接合部とが、前後いずれか一方の側にずらして配置されている請求項1に記載のミテーヌ。
【請求項４】
前記シート状物は、ほぼ円形からなる請求項１〜３のいずれかに記載のミテーヌ。
【請求項５】
前記前方接合部及び前記後方接合部は、それぞれ前記小指側縁部にほぼ沿って伸びる線状に形成されている請求項１〜４のいずれかに記載のミテーヌ。
【請求項６】
前記手の甲部と前記手の平部とが、前記前方接合部及び前記後方接合部において着脱可能に接合されている請求項１〜５のいずれかに記載のミテーヌ。
【発明の詳細な説明】
【技術分野】
【０００１】
本発明は、装身用、防寒用あるいは日除け用として着用されるミテーヌに関する。
【背景技術】
【０００２】
親指部分を除く他の指の部分がない装身用の手袋として、一般にミテーヌと呼ばれる手袋が知られている。この手袋は、布地あるいは皮革製の一般の防寒用の手袋と同様に親指部分は他の部分と別個の縫製する等、製作に手間を要するものであった。
【０００３】
上記事情に鑑み、本発明者は、手間を要せず簡潔な構成であり、しかも充分装飾性を具備した手袋を提供することを目的として、既にミテーヌ型の手袋の発明をし、特許を得た（特許文献１）。この手袋は、特許文献１に記載されているように、「方形状の生地を斜めに折畳んで三角形状の手の甲部及び手の平部を形成し、手の甲部及び手の平部の側角部寄りを間隔を有して縫合し外側縫合部と内側縫合部を形成し、外側縫合部と内側縫合部との間の空間部を親指挿入部とし、内側縫合部と折畳み側縁部との間の空間部を他の指挿入部とし、他の指挿入部の中間部より先端部までの余白部分を装飾片部となしたことを特徴とする手袋。」である（請求項１）。
【０００４】
【特許文献１】特許第３２８４４５８号公報
【発明の開示】
【発明が解決しようとする課題】
【０００５】
本発明は、上記特許文献１に記載の手袋をさらに改良し、製作が簡単であるとともに使い勝手のよい手袋（ミテーヌ）を提供することを目的とする。
【課題を解決するための手段】
【０００６】
(1) シート状物を二つ折りし、その折り目を小指側縁部として手の甲部と手の平部とを形成してなり、
前記手の甲部と前記手の平部とを接合する接合部として、前記小指側縁部と対向する親指側縁部からやや距離を置いて、かつ前後方向（小指側縁部の伸びる方向：手の甲を基準として指先方向と手首方向）の中間部に間隔部を設けてその前後に配置した前方接合部と後方接合部とを備え、
前記間隔部の内部を親指挿入部とし、前記前方接合部及び前記後方接合部と前記小指側縁部との間の内部を他の指挿入部とした、ミテーヌである。
【０００７】
本発明における好ましい構成として次のようなものがある。
(2) 前記前方接合部と前記後方接合部とが、前後方向にほぼ対称に配置されている。
(3) 前記前方接合部と前記後方接合部とが、前後いずれか一方の側にずらして配置されている。
(4) 前記シート状物は、ほぼ円形からなる。
(5) 前記前方接合部及び前記後方接合部は、それぞれ前記小指側縁部にほぼ沿って伸びる線状に形成されている。
(6) 前記手の甲部と前記手の平部とが、前記前方接合部及び前記後方接合部において着脱可能に接合されている。
【発明の効果】
【０００８】
(1) 本発明によれば、その製作が簡単であることに加え、前後いずれの方向からも手指を容易に通すことができ、使い勝手がよい。
前方接合部及び後方接合部との間に位置する間隔部の内部である親指挿入部から親指は挿入されるとともに、親指挿入部から親指側縁部に至る領域が親指カバー部となって、親指が覆われる。他の指挿入部に他の指が挿入され、他の指が覆われるが、他の指挿入部の前側をめくり返すことにより他の指を露出させることができる。
また、小指側縁部のほかに、前方接合部と後方接合部とが着用時の保持部となるが、前方接合部が人差し指と親指の根元交差部に位置し、後方接合部が手首部近傍に位置し、この２点で保持されるため、安定した着用感が得られるとともに、親指の動きが規制される縫合部がないため、親指の動作の自由度が高い。
【０００９】
(2) 前方接合部と後方接合部とが、前後方向にほぼ対称に配置されていることにより、前後いずれの方向から手指を通しても同様の着用形態となるため、前後を確認することなく手指を通すことができ、便利である。
(3) 前方接合部と後方接合部とが、前後いずれか一方の側にずらして配置されていることにより、前後いずれの方向から手指を通すかによって、ミテーヌからの手指の露出度が異なる着用形態を選択することができる。このため、指先の露出度が大きく指先を自由に使える態様と、指先が覆われて防寒や日除けに適した態様とを使い分けることができ、便利である。
(4) シート状物はほぼ円形からなる構成により、視覚的にソフトで優雅な印象が表出されるとともに、親指側縁部が角張らず、かつ不用意に突出することがないため、邪魔にならず、快適な使用感が得られる。
(5) 前方接合部及び後方接合部は、それぞれ小指側縁部にほぼ沿って伸びる線状に形成されている構成により、前方接合部と後方接合部とが、それぞれ人差し指の側部と手首部に沿って保持するため、嵌めた後ずれにくく、優れたフィット感が得られる。
(6) 手の甲部と手の平部とが、前方接合部及び後方接合部において着脱可能に接合されている構成により、手の甲部と手の平部との接合を解いて広げれば、一枚のシートになるので、洗濯がし易い。
【発明を実施するための最良の形態】
【００１０】
以下、本発明の実施例を挙げ、図面を参照して説明する。
図１は本発明の実施例に係るミテーヌ１の上側から見た斜視図、図２は同ミテーヌ１の着用状態を示す斜視図、図３〜図７はミテーヌ１の変形例を示す斜視図である。
【実施例】
【００１１】
図１に示すとおり、ミテーヌ１は、シート状物を二つ折りし、その折り目を小指側縁部２として、対向する手の甲部３と手の平部４とを形成してなる。
図１に示す例では、ほぼ円形からなるシート状物を二つ折りしてなる。
シート状物としては、布帛、皮革等が代表的であるが、着用に適した柔軟なシートであればよく、織布、編布、不織布、フェルト地、ブレードを巻き回したシート等適宜の素材を用いることができる。
シートは、１枚のもののほか、２枚以上重ねたものを用いることもできる。外面に装飾性に優れた素材を選定し、内面に皮膚への感触に優れた素材を選定して製作することも、２枚重ねた状態で二つ折りすればよいので、簡単になし得る。内面と外面とを色や模様等を異ならせることにより、後記するように、指先側をめくり上げた際の装飾的効果が高まる。
なお、手の甲部３と手の平部４とを別の素材で構成し、これらを接合したシートを用いてもよい。
【００１２】
手の甲部３と手の平部４とを接合する接合部として、小指側縁部２と対向する親指側縁部５からやや距離Ｔを置いて、かつ前後方向（小指側縁部２の伸びる方向）の中間部に間隔部１０を設け、この間隔部１０を挟んで前後に前方接合部１２と後方接合部１３とが設けられている。図１に示す例では、前方接合部１２と後方接合部１３とが、前後方向にほぼ対称に配置されている。
図１では、前方接合部１２及び後方接合部１３は、縫合により設けられている例を示しており、これらはそれぞれ小指側縁部２にほぼ沿って伸びる線状に形成されている。前方接合部１２及び後方接合部１３は、それぞれ小指側縁部２と平行に設けるか、あるいは図示のように間隔部１０側からそれぞれ前後方向に向けて、小指側縁部２からやや離れるように傾斜させて設けると手指が嵌めやすくてよい。
【００１３】
間隔部１０の内部が親指挿入部１１となり、前方接合部１２及び後方接合部１３と小指側縁部２との間の内部が他の指挿入部１４となる。
親指挿入部１１から横方向、親指側縁部５に至る領域が親指カバー部１５となって、親指が覆われる。
符号６は前方縁部（前方開口部）、符号７は後方縁部（後方開口部）を示す。
【００１４】
図２に上記ミテーヌ１の着用状態を示す。
後方縁部７から手指を挿入し、親指挿入部１１へ親指を挿入し、他の指挿入部１４へ他の指を挿入する。これにより、図２（ａ）に示すような着用状態となる。親指カバー部１５によって、親指が覆われるとともに、他の指挿入部１４の前方縁部６寄りで他の指が覆われる。この状態は、防寒や日除けに適した状態である。
図２（ａ）に示す状態から、他の指挿入部１４の前方縁部６側をめくり返すことにより、図２（ｂ）に示す状態となる。装飾効果が発揮されるとともに、他の指が充分に露出した態様となり、指先を使う作業に適した状態となる。
また、前方接合部１２と後方接合部１３とが、前後方向にほぼ対称に配置されているため、前後いずれの方向から手指を通しても同様の着用形態となるため、前後を確認することなく手指を通すことができ、便利である。
【００１５】
以下、上記実施例の変形例について説明する。
図３は、前方接合部１２及び後方接合部１３の位置の変形例を示す。
図１に示したものは、前方接合部１２と後方接合部１３とが、前後方向にほぼ対称に配置されているものであるのに対し、図３に示すものは、前方接合部１２と後方接合部１３とが、前後方向に対称に配置されておらず、前後いずれか一方の側にずらして配置されている。
すなわち、図示の例では、前方接合部１２と後方接合部１３とが、後方縁部７寄りに設けられており、前方接合部１２から前方縁部６までの長さＬ１は、後方接合部１３から後方縁部７までの長さＬ２よりも大きい。このため、後方縁部７側から手指を挿入したとき、指先の露出度は少なく、これに対し、前方縁部６側から手指を挿入したとき、指先の露出度は大きくなる。したがって、前者では手指が覆われて防寒や日除けに適した態様であり、後者では指先の露出度が大きく指先を自由に使える態様となる。このように、前後いずれの方向から手指を通すかによって、ミテーヌからの手指の露出度が異なる着用形態を選択することができ、状況に応じた使い分けができ、頗る便利である。
【００１６】
シート状物の形状については、二つ折りする前の状態で、前記したほぼ円形や楕円形は、布の場合、端のほつれ止めの始末をロックミシンで容易に行える利点がある。もっとも、シート状物の形状は、これらに限定されない。例えば、図４（ａ）に示すような四角形（二つ折りした状態で三角形）や図４（ｂ）に示すような角部にＲをつけた四角形、その他の多角形、左右対称形、回転対称形等の定形、あるいは不定形であってもよい。全体的な形状において、二つ折りした状態で、小指側縁部２の前後方向長さに対して親指側縁部５近傍における前後方向の長さが短くなる形が基本形である。
【００１７】
シート状物を二つ折りした状態で、前方接合部１２と後方接合部１３とが完全に一致する形状でなくてもよい。例えば、図５（ａ）に示すように、シート状物がほぼ円形の場合、二つ折りする際の折り目を直径線より適宜ずらした位置としたり、図５（ｂ）に示すように、ほぼ四角形のシート状物の場合、その対角線より適宜ずらした位置としたりすることもできる。図中、破線は二つ折りする前の形状を示す。このようにずらして二つ折りした場合、そのずらしによって適宜はみ出し部分が形成されるため、手指を通すとき、このはみ出し部分を手掛かりとして着用することができる。また、手の甲側と手の平側とで、露出面積や露出部位を変えることができる。
【００１８】
前方接合部１２と後方接合部１３の接合手段については、前記した縫合のほか、ハトメ、溶着等の適宜固定手段を用いてもよい。
【００１９】
手の甲部３と手の平部４とが、前方接合部１２及び後方接合部１３において着脱可能に接合されている構成を採用してもよい。これにより、手の甲部３と手の平部４との接合を解いて広げれば、一枚のシートになる利点がある。例えば、図６に示すように、前方接合部１２及び後方接合部１３としてスナップボタンを用いたり、あるいは面ファスナー等の適宜着脱可能な接合手段を用いることができる。
【００２０】
また、図７に示すように、親指挿入部１１から親指側縁部５に至る領域の、間隔部１０と対向する親指側縁部５の近傍に、副接合部２０を設けてもよい。副接合部２０を設けることにより、着用時における親指カバー部１５のめくれ上がりを防ぐことができる。副接合部２０の接合方法は、前記した前方接合部１２及び後方接合部１３の構成を適宜採用し得る。
【００２１】
以上、本発明の実施例を説明したが、本発明は上記の実施例に限定されるものではなく、本発明の要旨の範囲で種々の変形、付加等が可能である。
【図面の簡単な説明】
【００２２】
【図１】実施例に係るミテーヌ１の上側から見た斜視図である。
【図２】ミテーヌ１の着用状態を示す斜視図である。
【図３】ミテーヌ１の変形例を示す斜視図である。
【図４】ミテーヌ１の変形例を示す斜視図である。
【図５】ミテーヌ１の変形例を示す斜視図である。
【図６】ミテーヌ１の変形例を示す斜視図である。
【図７】ミテーヌ１の変形例を示す斜視図である。
【符号の説明】
【００２３】
１  ミテーヌ
２  小指側縁部
３  手の甲部
４  手の平部
５  親指側縁部
６  前方縁部
７  後方縁部
１０  間隔部
１１  親指挿入部
１２  前方接合部
１３  後方接合部
１４  他の指挿入部
【図１】
2008121139.tif 000003
【図２】
2008121139.tif 000004
【図３】
2008121139.tif 000005
【図４】
2008121139.tif 000006
【図５】
2008121139.tif 000007
【図６】
2008121139.tif 000008
【図７】
2008121139.tif 000009